(57)【要約】【課題】  簡単な構造を搬送経路に設けることで、印刷媒体の伸びた部分などにも負荷を掛けた状態で搬送することができるようにする。【解決手段】プリンタ装置は、印刷媒体案内部と、印刷部と、印刷媒体を印刷部に搬送する印刷媒体搬送駆動部と、ロール上の印刷媒体を回転可能に保持する印刷媒体供給部と、プラテン上の印刷媒体を巻き取り方向に案内する印刷媒体巻取方向案内部とを備えている。印刷媒体供給部から印刷媒体供給搬送経路を経て印刷媒体案内部上に供給される印刷媒体に対して印刷部の印刷ヘッドからインクを噴射して印刷を行う。印刷媒体供給搬送経路には、印刷媒体を横切る方向に配置された支軸と、該支軸に遊嵌された複数の中空の分割ローラとから成るフレキシブル分割ローラ機構が配置され、印刷媒体は分割ローラの下部周面に圧接配置される。【選択図】  図１
2015048220.tif 000002
【特許請求の範囲】
【請求項１】
印刷媒体を移動自在に支持する印刷媒体案内部と、印刷部と、印刷媒体を搬送ローラの回転によって印刷部に搬送する印刷媒体搬送駆動部と、ロール上の印刷媒体を回転可能に保持する印刷媒体供給部と、印刷媒体案内部上の印刷媒体を巻き取り方向に案内する印刷媒体巻取方向案内部とを備え、印刷媒体供給部から印刷媒体供給搬送経路を経て前記印刷媒体案内部上に供給される印刷媒体に対して印刷部の印刷ヘッドからインクを噴射して印刷を行うプリンタ装置であって、前記印刷媒体供給搬送経路に、印刷媒体を横切る方向に配置された支軸と、該支軸に遊嵌された複数の中空の分割ローラとから成るフレキシブル分割ローラ機構を配置し、前記印刷媒体を前記分割ローラの下部周面に圧接したことを特徴とするプリンタ装置。
【請求項２】
印刷媒体を移動自在に支持する印刷媒体案内部と、印刷部と、印刷媒体を搬送ローラの回転によって印刷部に搬送する印刷媒体搬送駆動部と、ロール上の印刷媒体を回転可能に保持する印刷媒体供給部と、印刷媒体案内部上の印刷媒体を巻き取り方向に案内する巻取方向案内部と、該巻取方向案内部から搬送された印刷済みの印刷媒体を巻き取る印刷媒体巻取部とを備え、前記印刷媒体案内部上に供給される印刷媒体に対して印刷部の印刷ヘッドからインクを噴射して印刷を行うプリンタ装置であって、前記印刷媒体巻取方向案内部と前記印刷媒体巻取部との間の印刷媒体巻取搬送経路に、印刷媒体を横切る方向に配置された支軸と、該支軸に遊嵌された複数の中空の分割ローラとから成るフレキシブル分割ローラ機構を配置し、前記印刷媒体を前記分割ローラの下部周面に圧接したことを特徴とするプリンタ装置。
【請求項３】
前記複数の分割ローラの中、左右の分割ローラの少なくとも一方側の分割ローラの外側の端部に重りを取付たことを特徴とする請求項１又は請求項２に記載のプリンタ装置。
【請求項４】
前記支軸を機体側に揺動自在に軸支された一対のアームに取り付けたことを特徴とする請求項１又は請求項２に記載のプリンタ装置。
【請求項５】
前記印刷媒体が布などのシート材であることを特徴とする請求項１又は請求項２に記載のプリンタ装置。
【発明の詳細な説明】
【技術分野】
【０００１】
本発明は、機体の印刷媒体案内部（プラテン）に供給される布などのシート状の印刷媒体に対して印刷ヘッドからインクを噴射して印刷を行うプリンタ装置に関する。
【背景技術】
【０００２】
ウェブの横位置を検出する横位置検出手段と、独立に駆動可能な複数の分割ローラにより構成されるローラ部と、横位置検出手段による検出結果に基づいて各分割ローラの回転速度を制御する制御手段とを備え、ウェブの搬送において、分割ローラの速度を調整したり、ローラの構造を変更したりするプリンタ装置が従来知られている（例えば特許文献１参照）。
【先行技術文献】
【特許文献】
【０００３】
【特許文献１】特開２００９−２４９０４７号公報
【発明の概要】
【発明が解決しようとする課題】
【０００４】
布などのシート状の印刷媒体の搬送の場合、搬送される布の真ん中あたりと端の方とでは伸縮率などが違う。そのため通常の搬送構造では、布の端の伸びに対応できないので、布の伸びた部分に合わせたローラでの負荷を掛けた搬送ができないという問題点があった。
本発明は、簡単な構造を搬送経路に設けることで、印刷媒体の伸びた部分や縮んだ部分などにきちんと接触して負荷を掛けた状態での供給或いは巻き取りができるようにすることを目的とする。
【課題を解決するための手段】
【０００５】
上記目的を達成するため、本発明は、印刷媒体を移動自在に支持する印刷媒体案内部と、印刷部と、印刷媒体を搬送ローラの回転によって印刷部に搬送する印刷媒体搬送駆動部と、ロール上の印刷媒体を回転可能に保持する印刷媒体供給部と、印刷媒体案内部上の印刷媒体を巻き取り方向に案内する印刷媒体巻取方向案内部とを備え、印刷媒体供給部から印刷媒体供給搬送経路を経て前記印刷媒体案内部上に供給される印刷媒体に対して印刷部の印刷ヘッドからインクを噴射して印刷を行うプリンタ装置であって、前記印刷媒体供給搬送経路に、印刷媒体を横切る方向に配置された支軸と、該支軸に遊嵌された複数の中空の分割ローラとから成るフレキシブル分割ローラ機構を配置し、前記印刷媒体を前記分割ローラの下部周面に圧接したことを特徴とする。
また本発明は、印刷媒体を移動自在に支持する印刷媒体案内部と、印刷部と、印刷媒体を搬送ローラの回転によって印刷部に搬送する印刷媒体搬送駆動部と、ロール上の印刷媒体を回転可能に保持する印刷媒体供給部と、印刷媒体案内部上の印刷媒体を巻き取り方向に案内する巻取方向案内部と、該巻取方向案内部から搬送された印刷済みの印刷媒体を巻き取る印刷媒体巻取部とを備え、前記印刷媒体案内部上に供給される印刷媒体に対して印刷部の印刷ヘッドからインクを噴射して印刷を行うプリンタ装置であって、前記印刷媒体巻取方向案内部と前記印刷媒体巻取部との間の印刷媒体巻取搬送経路に、印刷媒体を横切る方向に配置された支軸と、該支軸に遊嵌された複数の中空の分割ローラとから成るフレキシブル分割ローラ機構を配置し、前記印刷媒体を前記分割ローラの下部周面に圧接したことを特徴とする。
また本発明は、前記複数の分割ローラの中、左右の分割ローラの少なくとも一方側の分割ローラの外側の端部に重りを取付たことを特徴とする。
また本発明は、前記支軸を機体側に揺動自在に軸支された一対のアームに取り付けたことを特徴とする。
また本発明は、前記印刷媒体が布などのシート材であることを特徴とするものである。
【発明の効果】
【０００６】
本発明は、軸にローラを通すだけの簡単な構造で、布などの印刷媒体の伸びに対する対応ができるので、搬送時の印刷媒体の伸びた部分などにも負荷を掛けた状態で搬送することができ、印刷位置や巻き取りの部分にたるみのない良好な状態での搬送が可能となる。
【図面の簡単な説明】
【０００７】
【図１】本装置のフレキシブル分割ローラ機構の断面説明図である。
【図２】プリンタ装置の全体外観斜視図である。
【図３】本装置の一部の断面図である。
【図４】本装置の全体説明図である。
【図５】本装置の一部の説明図である。
【図６】排出ローラの側面説明図である。
【図７】排出ローラの説明図である。
【図８】本装置の一部の正面図である。
【図９】本装置のフレキシブル分割ローラ機構の断面説明図である。
【発明を実施するための形態】
【０００８】
以下に本発明の実施の形態を添付した図面を参照して詳細に説明する。
図４は、プリンタ装置２の全体構造を示す説明図であり、図中、左側が装置２の前方、右側が装置２の後方であり、紙面垂直方向がヘッド動作方向となっている。
【０００９】
プリンタ装置２は、印刷部４と印刷媒体搬送駆動部６と、印刷媒体供給搬送経路部８と、印刷媒体供給部１０と、印刷媒体巻取方向案内部１２と、印刷媒体巻取方向搬送経路部１４と、印刷媒体巻取部１６とを備え、印刷媒体供給部１０から印刷媒体供給搬送経路部８を経て、印刷部４のガター１８（図５参照）上に供給される印刷媒体に対して、印刷部４のヘッドユニット２２（図２参照）の印刷ヘッド２４からインクを噴射することで印刷を行うように構成されている。
【００１０】
図２は、装置２を前方から見た斜視図である。プリンタ装置２の印刷部４は、装置２の機体２ａに支持されたヘッド案内レール２６を備え、該ヘッド案内レール２６に担体を介してインクジェット型のヘッドユニット２２が、該ヘッド案内レール２６に沿って移動可能に取り付けられている。ヘッドユニット２２のヘッド案内レール２６に沿った方向を装置２のＹ軸方向とする。
【００１１】
ヘッド案内レール２６の下方には、印刷媒体２０を支え、印刷媒体２０を機体２ａの後方から前方に案内するプラテンと称する印刷媒体案内部２８が装置され、該案内部２８の中間部には、印刷媒体２０に向けて噴射されたインクの中、印刷媒体２０の織目を通過し落下するインクを受けるインク受けであるガター１８が設けられている。印刷ヘッド２４のインク吐出面は、案内部２８に支持された印刷媒体２０の印字面に水平に対向配置されている。
【００１２】
前記印刷ヘッド２４の移動経路の近傍には搬送ローラ３０と複数個の従動ローラ３２が配置され、搬送ローラ３０はコントローラによって制御されるＸ軸駆動装置に連結し、機体２ａ側に回転可能に支持されている。従動ローラ３２は前記ヘッド案内レール２６に搬送ローラ３０に対して昇降可能に支持され、スプリングによって搬送ローラ３０に水平に弾接している。
【００１３】
上記搬送ローラ３０と従動ローラ３２は、印刷媒体搬送駆動部６を構成している。印刷媒体供給部１０は、印刷媒体２０がロール状に巻かれた印刷媒体ロール２０ａを保持する供給軸３４と印刷媒体供給搬送経路部８の印刷媒体２０にテンションを付与するためのテンションバー機構３６と、ガイドローラ３８，４０と、フレキシブル分割ローラ機構４２と、ガイドローラ４４と、表面にらせん状の皺取り用突条が形成されたシワ取り反転ローラ４６とを備えている。機体２ａには、脚部２ｂ，２ｂと台板２ｃが固設され、機体２ａはこれらを介して床面上に配置されている。台板２ｃには送り出し装置４８，５０が配置されている。
【００１４】
送り出し装置４８，５０に設けられた供給軸３４はコントローラにより制御されるモータに連結している。反転ローラ４６の支軸５２は、図５に示すように搬送ローラ３０の支軸６４とベルト伝達機構と歯車機構を介して連結し、搬送ローラ３０とは逆方向に回転するように構成されている。ベルト伝達機構は、搬送ローラ３０の支軸６４に固定されたベルトローラ５４と、機体２ａ側の回転自在なベルトローラ５６との間に無端ベルト５８が掛けられている。
【００１５】
ベルトローラ５６に固定されたローラ支軸にはギヤ６０が固定され、該ギヤ６０とシワ取り反転ローラ４６の支軸５２に固定されたギヤ６２とが噛み合っている。前記支軸６４には搬送ローラ３０が固定され、支軸５２には反転ローラ４６が固定されている。各ガイドローラ３８，４０，４４は機体２ａ側に回転自在に支持されている。
【００１６】
テンションバー機構３６は、一対の揺動アーム６６と該アーム６６間に回転自在に支持されたガイドローラ６８とから成り、一対の揺動アーム６６は各一端側がそれぞれ台板２ｃに立設された取付板側に回転自在に支持されている。フレキシブル分割ローラ機構４２は、図９に示すように、Ｙ軸方向に伸びる支軸７０に、３つの互いに同径のパイプ状の分割ローラ７２が遊嵌配置されている。
【００１７】
支軸７０の外径と分割ローラ７２の内径は、本実施形態では、図９に示すように略１：３に設定されているが、特にこの比に限定されるものではなく、支軸７０の外径と分割ローラ７２の内径の比は、装置の構造により任意に変更すれば良い。分割ローラ７２は変形しない程度の厚みと重量を有しており、それ自体が重りとしての役割をしている。分割ローラの重さは印刷媒体２０の材質その他により、種々の値を設定することができる。支軸７０は、アルミニウムのパイプにより構成され、両端が機体２ａ側に固設された支持板７４，７４に支持されている。本実施形態での分割ローラ７２は、合成樹脂の中空のパイプにより構成され、左右の分割ローラ７２の外側の端部に、リング状の重り７６が脱着自在に固定されている。
【００１８】
印刷媒体巻取方向案内部１２は、図３に示すように案内部２８（図２参照）の前方に配置された排出ローラ７８と、該排出ローラ７８に連結する支軸８０と、トルクリミッター８２とから構成されている。排出ローラ７８は、Ｙ軸方向に、印刷媒体２０の幅方向全長にわたって案内部２８の前方に横切るように配置され、両端の中心に突出する支軸８０が機体２ａ側の支持体８４にベアリング８６を介して回転自在に支持されている。ローラ７８は、アルミニウムのパイプから成り、該パイプの両端にアルミニウムのフランジ８８が固定されている。フランジ８８の中心に孔が形成され、該孔に支軸８０が嵌挿され、止めねじによってフランジ８８に固定されている。
【００１９】
左右の支軸８０の中の一方の支軸８０はトルクリミッター８２のハウジング８２ａに止めねじ９０によって連結し、トルクリミッター８２のロータ８２ｂは、支軸８０に軸受け９２を介して回転自在に嵌合するプーリ９４に回転方向に連動するように結合している。支軸８０の端部は、機体２ａ側の支持体９６にベアリング９８を介して回転自在に嵌合している。プーリ９４はベルト式動力伝達機構を構成する無端ベルト１００を介して、支軸６４に固定されたプーリ（図示省略）に連結している。
【００２０】
トルクリミッター８２のロータ８２ｂは、支軸８０に回転自在に嵌合し、プーリ９４と連動して回転する。ロータ８２ｂの回転は、ハウジング８２ａに伝達され、ハウジング８２ａから支軸８０に伝達される。トルクリミッター８２は、ハウジング８２ａ側に過負荷がかかるとロータ８２ｂとハウジング８２ａとの接続を切り、ロータ８２ｂからハウジング８２ａへのトルク伝達を遮断し、排出ローラ７８側の負荷の値を一定に制御する。トルクリミッター８２は本実施形態ではコイルスプリング方式による接触タイプを使用しているが、本発明の実施に際し、トルクリミッターは図示するトルクリミッターに限定されるものではなく、マグネットを使用した非接触タイプのトルクリミッターやその他公知のトルクリミッターを用いることができる。
【００２１】
本実施形態では、排出ローラ７８の回転速度は、搬送ローラ３０の回転速度より大きく設定され、また、反転ローラ４６の回転速度も、搬送ローラ３０の回転速度より大きく設定されている。搬送ローラ３０と排出ローラ７８，反転ローラとはベルトを掛けるプーリー径を変更する事によりそれぞれに与えられる回転速度を大きくしているので、排出ローラ７８、反転ローラ４６の最終的な周速も速くなるように調整がされている。また、排出ローラ７８の回転トルクは、搬送ローラ３０の回転トルクよりも小さく設定され、反転ローラ４６の回転トルクも搬送ローラ３０の回転トルクよりも小さく設定されている。
【００２２】
排出ローラ７８のパイプの表面には、印刷媒体２０に噛み合う微少な突起が密集配置された噛み合い面７８ａが形成されている。噛み合い面７８ａは、本実施形態では、図７に示すように、サンドペーパーを排出ローラ７８のパイプの表面にらせん状に巻き付けて形成しているが、噛み合い面７８ａは、サンドペーパー以外に種々の構成を採用することができる。またサンドペーパーなどの紙やすりや布やすりなどは使用していると劣化してくるため、その場合はその部分だけを交換すればよい。印刷媒体巻取部１６は、印刷媒体ロール２０ａから引き出され、印刷ヘッド２４にて画像が印刷された印刷媒体２０を巻き取って回収するための軸体を備えている。
【００２３】
台板２ｃの左右には巻き取り装置１０４，１０４が配置され、該装置１０４，１０４に巻き取り軸１０２，１０２が設けられ、これら巻き取り軸１０２，１０２間に、印刷媒体２０を巻き取るための軸体が脱着可能に保持されている。印刷媒体巻取部１６の近傍には、印刷媒体２０を巻き取り用の軸体に導くフレキシブル分割ローラ機構１０６が配置されている。このフレキシブル分割ローラ機構１０６は、装置２の巻取方向搬送経路１４を構成している。
【００２４】
フレキシブル分割ローラ機構１０６の分割ローラ構造は、図９に示す構成と同一の構成を備えている。この分割ローラ構成部分は、支軸（図示省略）がテンションバー機構１０８に支持されている。テンションバー機構１０８は一対のアーム１１０を備え、該アーム１１０の一端側が機体２ａ側の支持体に回転自在に支持され、該アーム１１０の他端側に、フレキシブル分割ローラ機構１０６の支軸が連結している。
【００２５】
前記巻取装置１０４，１０４の一方には、コントローラにより制御される駆動モータが内蔵され、該駆動モータの出力軸は前記巻き取り用の軸体１０２に連結している。プリンタ装置２の機体２ａの両側には、収納ボックス１１２，１１４が設けられ、該一方のボックス１１２には、印刷媒体に噴射する液体インク、印刷ヘッド２４のメンテナンスを行うメンテナンス機構等（キャッピング機構やクリーニング機構など）が設置され、上部にはプリンタ装置２を操作するための操作パネル１１６が設置されている。一方のボックス１１４には、ヘッドなどを移動させてきた時にメンテナンスができるようなスペースが用意されている。
【００２６】
次に本実施形態の動作について説明する。
まず作業者は、印刷媒体ロール２０ａを、供給軸３４にセットするとともに印刷媒体ロール２０ａから引き出した印刷媒体２０を、ガイドローラ６８，３８，４０に順次掛け、更にフレキシブル分割ローラ機構４２の各分割ローラ７２の下面を経て、ガイドローラ４４，４６に図４に示すように順次掛け、搬送ローラ３０と従動ローラ３２間に導く。
【００２７】
引き出した印刷媒体２０を更に案内部２８上に配置し、更に排出ローラ７８に掛け、フレキシブル分割ローラ機構１０６の各分割ローラの下面に導いた後に、印刷媒体巻き取り部１６の軸体に巻き付ける。そして、レバー操作により、従動ローラ３２を下降し、搬送ローラ３０に圧着して、案内部２８上の印刷媒体２０を、搬送ローラ３０と従動ローラとで挟持する。テンションバー機構３６は印刷媒体供給搬送経路部８の印刷媒体２０にテンションを付与し、テンションバー機構１０８は印刷媒体巻取方向搬送経路部１４の印刷媒体２０にテンションを付与する。
【００２８】
印刷媒体２０を最終的に印刷できる状態にするには、印刷媒体２０を取り付けた後に、送り出し装置、巻き取り装置、搬送ローラを駆動させ印刷媒体２０を緊張した状態にする。テンションバー機構３６，１０８は上下に揺動自在に保持されているため、印刷媒体２０を緊張させた状態にすると上方に移動し重量により下方に沈み込む事になるので印刷媒体にほど良い負荷を与えるようになる。
【００２９】
次に作業者は、外部コンピュータ装置とプリンタ装置２とをインターフェースを介して接続し、外部コンピュータ装置およびプリンタ装置２の電源をそれぞれ投入する。これにより、外部コンピュータ装置は、所定のプログラムを実行することにより作業者からの指令の入力を待つ待機状態となる。また、印刷ヘッド２４は、ヘッド案内レール２６に沿って原点に移動する。
【００３０】
次に作業者は、外部コンピュータ装置を操作して、プリンタ装置２に画像の印刷を開始させる。これによりプリンタ装置２に内蔵されるコントローラは、外部コンピュータ装置から出力される画像データに基づいて印刷ヘッド２４と印刷媒体２０との相対的な位置関係を変化させながら、印刷ヘッド２４の作動を制御して、ガター１８上の印刷媒体２０に向けてインクの液滴を吐出する。
【００３１】
この印刷媒体２０に対する画像の印刷過程においては、印刷媒体２０は機体２ａの後側から前側に向かって搬送される。コントローラは、Ｘ軸モータの作動を制御することにより印刷媒体２０を機体２ａの後側から前側に向かって断続的に搬送する。またコントローラは、巻き取り装置１０４の巻き取りモータの作動を制御して画像が印刷された印刷媒体２０を巻き取る。このとき、フレキシブル分割ローラ機構の１０６のローラの高さが、所定の範囲内（負荷がかかる状態を維持する範囲）となるように、巻き取りモータが制御される。
【００３２】
また、コントローラは、送り出しモータの作動を制御して、テンションバー機構３６のガイドローラ６８の高さが所定の範囲内（負荷がかかる状態を維持する範囲）に位置するように、印刷媒体ロール２０ａの回転を制御し、印刷媒体ロール２０ａから印刷媒体２０をくり出す。反転ローラ４６は、図４中、時計方向に搬送ローラ３０の回転方向とは逆方向に回転し、搬送ローラ３０に供給される印刷媒体２０に対してテンションを付与するとともに、螺旋状に設けられた構造により印刷媒体２０の皺を伸ばしてとるように作用している。
【００３３】
次にフレキシブル分割ローラ機構４２の動作について説明する。
印刷媒体供給搬送経路部８において、ガイドローラ４４，４０間の印刷媒体２０は、ガイドローラ６８から付与されるテンションによって、フレキシブル分割ローラ機構４２の各分割ローラ７２，７２，７２の下面に圧接する。各分割ローラ７２は、これらの下面に圧接する印刷媒体２０からの圧力により、図１Ａの無負荷初期状態から自重に抗して押し上げられ、印刷媒体２０の搬送に伴って回転する。
【００３４】
印刷媒体２０が布の場合、搬送される布の真ん中あたりと端の方とでは伸縮率が異なる。そのため、布はこれを引っ張る力が付与されると両側部が中央部に比し伸び易く、この伸びを放置すると、両側部に弛みが生じて皺や搬送精度の不具合などが発生してしまう。しかるに分割ローラ７２は、布の両側が伸びると、これに合わせて左右の分割ローラ７２が傾き、図１Ｃに示すように、分割ローラはそれぞれの場所において印刷媒体の状態に合わせて接触するようになる。
【００３５】
この分割ローラ７２のそれぞれの場所での印刷媒体の状態に合わせた接触により、印刷媒体２０の両側端部のたるみに合わせた接触による搬送がされるようにになり、たるんだ部分にも負荷がかかるため、皺の発生や搬送精度の不具合などが解消される。図１Ｂは印刷媒体がほとんど伸びないものを使用した場合の状態を示し、布の圧力で全ての分割ローラ７２が押し上げられ、全体が水平方向に直線状となった状態を示している。
【００３６】
尚、重り７６は、伸び易い布の外側により重い負荷を付与するために設けている。重り７６を左右の分割ローラ７２の外側の端部に複数取り付けることで分割ローラ７２の端部にかかる重さを多様に調整することができ、種々の布（伸びやすいもの、伸びにくいものなど）に対応させることができる。巻取方向搬送経路部１４のフレキシブル分割ローラ機構１０６の動作も上記分割ローラ機構の動作と同様でありその説明を省略する。
【００３７】
次に印刷媒体巻取方向案内部１２の動作について説明する。
Ｘ軸駆動装置のモータの駆動により、プーリ９４が図５中、反時計方向に搬送ローラ３０より早く回転する。プーリ９４の回転は、トルクリミッター８２のロータ８２ｂに伝達され、該ロータ８２ｂの回転はハウジング８２ａを経て、排出ローラ７８の支軸８０に伝達される。
【００３８】
これにより排出ローラ７８は、その周速が搬送ローラ３０の周速よりも早く回転する。案内部２８の前方で、印刷媒体２０は、排出ローラ７８の噛み合い面７８ａに布へのテンションバー機構１０８による負荷により圧接し、これと噛み合いながら装置２の排出側に搬送される。搬送ローラ３０と排出ローラ７８間の印刷媒体２０のテンション（緊張）が所定の値を超えると、トルクリミッター８２のトルク伝達遮断機能が働きロータ８２ｂがハウジング８２ａに対してカラ回りして、印刷媒体２０のテンションの増大が阻止される。
【００３９】
これにより搬送ローラ３０、排出ローラ７８間の印刷媒体２０のテンションは所定の値に保持されることにより、印刷ヘッドの下の印字範囲にある印刷媒体も緊張状態で保持され、適度な緊張による印刷媒体への印刷が実行され綺麗に印刷される。
本装置では布に印刷をする事が多いため、布に印刷された後の部分では乾燥させるためにはプラテンなどに接触していない方が望ましい。そのため搬送ローラ３０と排出ローラ７８との間で印刷媒体が緊張した状態においては案内部２８に接触しない様に搬送ローラ３０と排出ローラ７８の最上端での接線が設定されている。
【００４０】
これにより印刷ヘッドでの印字後の排出ローラ７８に接触するまでの間は空中に浮いた状態になるので、表面と裏面の両方にて空気と接触があるので乾燥が促進される。またその部分において他との接触がないため印刷後の印刷媒体が汚れる事がなく、また排出ローラ７８も裏面からだけの接触になるので表面が汚れる事が無い。
【００４１】
また媒体の搬送方向を変更する場所に排出ローラ７８が設けられているので、ローラの上面部分だけではなく周面のある一定距離に布が纏わりつくため、ローラと布との間でのすべりが起こらなくなり、幅広の印刷媒体の場合には幅方向の接触面積も大きいためサンドペーパーなどの微少な突起などでも確実に裏面からの接触だけですべる事なく印刷媒体を保持する事ができる。
尚、印刷媒体巻取案内部は本実施形態では、排出ローラを用いているが、通常のプラテンのわん曲による搬送で巻き取りローラに供給する案内部の構成でもよく、印刷媒体巻取案内部はこの排出ローラの構成に限定されるものではない。
【符号の説明】
【００４２】
２      プリンタ装置
２ａ    機体
２ｂ    脚部
２ｃ    台板
４      印刷部
６      印刷媒体搬送駆動部
８      印刷媒体供給搬送経路部
１０    印刷媒体供給部
１２    印刷媒体巻取方向案内部
１４    印刷媒体巻取方向搬送経路部
１６    印刷媒体巻取部
１８    ガター
２０    印刷媒体
２０ａ  印刷媒体ロール
２２    ヘッドユニット
２４    ヘッド
２６    ヘッド案内レール
２８    案内部
３０    搬送ローラ
３２    従動ローラ
３４    供給軸
３６    テンションバー機構
３８    ガイドローラ
４０    ガイドローラ
４２    フレキシブル分割ローラ機構
４４    ガイドローラ
４６    反転ローラ
４８    送り出し装置
５０    送り出し装置
５２    支軸
５４    ベルトローラ
５６    ベルトローラ
５８    無端ベルト
６０    ギヤ
６２    ギヤ
６４    支軸
６６    アーム
６８    ガイドローラ
７０    支軸
７２    分割ローラ
７４    支持板
７６    重り
７８    排出ローラ
７８ａ  噛みあい面
８０    支軸
８２    トルクリミッター
８２ａ  ハウジング
８２ｂ  ロータ
８４    支持体
８６    ベアリング
８８    フランジ
９０    止めねじ
９２    軸受
９４    プーリ
９６    支持体
９８    ベアリング
１００  ベルト
１０２  軸体
１０４  巻取装置
１０６  フレキシブル分割ローラ機構
１０８  テンションバー機構
１１０  アーム
１１２  収納ボックス
１１４  収納ボックス
１１６  操作パネル
【図１】
2015048220.tif 000003
【図２】
2015048220.tif 000004
【図３】
2015048220.tif 000005
【図４】
2015048220.tif 000006
【図５】
2015048220.tif 000007
【図６】
2015048220.tif 000008
【図７】
2015048220.tif 000009
【図８】
2015048220.tif 000010
【図９】
2015048220.tif 000011